(57)【要約】【課題】主板部の周縁からそれぞれ折り曲げられた形態の周壁を備えた上下シェルハーフが、周壁の先端縁同士を突き合わせた状態で組み立てられてなる扁平なハウジングを有する記録媒体カートリッジにおいて、ハウジングの幅に誤差を生じたり、ドライブ装置に対する着脱時に塵埃を生じたりするのを防止する。【解決手段】下シェルハーフ３，４の周壁３ｓ，４ｓの主板部３ｍ，４ｍに対する折曲げ角度を１００°±５°の範囲内に設定する。【選択図】        図１
2006164419.tif 000002
【特許請求の範囲】
【請求項１】
上下シェルハーフの少なくとも一方が、主板部の周縁から折り曲げられた形態の周壁を備え、該周壁の先端縁を突き合わせた状態で組み立てられてなる扁平なハウジングを有する記録媒体カートリッジにおいて、
前記周壁の前記主板部に対する折曲げ角度が１００°±５°の範囲内に設定されていることを特徴とする記録媒体カートリッジ。
【請求項２】
上記折曲げ角度が約１００°であることを特徴とする請求項１記載の記録媒体カートリッジ。
【請求項３】
前記上下シェルハーフが前記周壁の複数箇所において突合わせ溶接されていることを特徴とする請求項１または２記載の記録媒体カートリッジ。
【発明の詳細な説明】
【技術分野】
【０００１】
本発明は、上下シェルハーフの少なくとも一方が、主板部の周縁から折り曲げられた形態の周壁を備え、該周壁の先端縁を突き当てた状態で組み立てられてなる扁平なハウジングを有する記録媒体カートリッジに関するものである。
【背景技術】
【０００２】
従来より、デジタルカメラ等のモバイル機器においては、記録媒体として、「ｃｌｉｋ！（登録商標）」と呼ばれる超小型の記録媒体カートリッジが使用されている（特許文献１参照）。
【０００３】
この記録媒体カートリッジ１は、図２（斜視図）および図３（ａ），（ｂ）（平面図および底面図）に示すように、ドライブ装置に押込み装填するときに指を当てる押込み部２ａを含む、スタビライザと呼ばれる樹脂製のフレーム２と、このフレーム２に嵌合された金属薄板(厚さ０．３ｍｍのステンレス鋼板)からなる平坦な主面を備えた上シェルハーフ３および下シェルハーフ４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）のディスク状磁気記録媒体５を回転自在に収容している。磁気記録媒体５の中央部には、中心孔１０ａを備えたハブ（センタコア）１０が固着されている。
【０００４】
この記録媒体カートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、そのハウジングには、上記ドライブ装置が備えている記録再生用磁気ヘッドを磁気記録媒体５の表面にアクセスさせるためのＶ字状の開口６が形成され、さらに、ハウジングと磁気記録媒体５との間には、上記開口６を回転式に開閉するための、開口７ａを備えたロータリーシャッタ７が介装されている。このロータリーシャッタ７は、図示しないバネ部材によって閉方向に付勢され、かつ上シェルハーフ３に取り付けられている図示しないロック部材により閉位置にロックされるように構成されている。
【０００５】
なお、図２および図３（ａ），（ｂ）は、ロータリーシャッタ７の開口７ａがハウジング内に潜入して、ロータリーシャッタ７がハウジングの開口６を閉じている状態、すなわち閉位置にある状態を示している。
【０００６】
ロータリーシャッタ７は、図３（ａ）の４−４線に沿った要部拡大断面図である図４に示すように、周壁部において互いに嵌合されたアルミニウム薄板製の上下シャッターハーフ７Ｕ，７Ｄからなり、上シャッターハーフ７Ｕは、上シェルハーフ３の下面から内方へ突出する小径の円筒体３ａによって回転可能に軸支され、円筒体３ａの先端には、上シャッターハーフ７Ｕが円筒体３ａからの抜け出すのを防止するためのセンタピンと呼ばれる抜止め部材１１が溶接されて、ハブ１０の中心孔１０ａ内に介入している。上下シャッターハーフ７Ｕ，７Ｄの内面には、磁気記録媒体５の表面を清掃するための不織布からなるライナ１３がそれぞれ貼り付けられている。
【０００７】
下シェルハーフ４の中央部には、ハブ１０を外部に臨ませる円形の開口４ａが形成され、下シャッターハーフ７Ｄの中心部には、下シェルハーフ４の開口４ａの周縁に遊嵌される大径の円筒体７Ｄａが下方へ向かって突設されて、この円筒体７Ｄａによって下シャッターハーフ７Ｄが下シェルハーフ４に回転可能に支持されているとともに、円筒体７Ｄａの先端部がカシメられて、下シャッターハーフ７Ｄが下シェルハーフ４からの抜け出すのを防止するフランジ１２が形成されている。
【０００８】
さらに下シェルハーフ４には、図３（ｂ）から明らかなように、ロータリーシャッタ７と同心的な円弧状開口４ｂが形成され、下シャッターハーフ７Ｄには、上記円弧状開口４ｂから突出しかつこの円弧状開口４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０°回転されることにより、図５（ａ），（ｂ）（平面図および底面図）に示すように、磁気記録媒体５がハウジングの開口６から露出された状態でドライブ装置に装填される。
【０００９】
また、ドライブ装置に装填された記録媒体カートリッジ１は、これをさらにドライブ装置側に押すことにより、ドライブ装置との係合が外れてドライブ装置からの排出が可能になり、図示しないバネ部材によってロータリーシャッタ７が図６（ａ），（ｂ）に示す閉位置に復帰するように構成されている。
【００１０】
上下シェルハーフ３，４は、図４の右端に示すように双方の周壁３ｓ，４ｓのエッジ同士を互いに突き合わせ、この突合せ線に沿った図３（ａ）に示す１３箇所の溶接箇所Ｗ１〜Ｗ１３におけるレーザービームを用いたスポット溶接により組み立てられる。
【００１１】
なお、図４においては、スポット溶接部をＷで示してある。
【特許文献１】米国特許第６,１３３,５４４号明細書
【発明の開示】
【発明が解決しようとする課題】
【００１２】
ところで、上下シェルハーフ３，４の周壁３ｓ，４ｓは、図６（ａ）に示すように、プレス加工により主板部３ｍ，４ｍからそれぞれ９０°の角度で折り曲げられるように設定されているが、加工後のスプリングバックにより、図６（ｂ）の上シェルハーフ３の周壁３ｓのように曲げ角度が９０°よりも浅くなったり、あるいは、加工時のバラツキにより、図６（ｂ）の下シェルハーフ４の周壁４ｓのように曲げ角度が９０°よりも深くなったりすることがある。
【００１３】
したがって両周壁３ｓ、４ｓを突き合わせて溶接した状態では、Ａで示す部分が基準面Ｐから突出し、ハウジングの幅に誤差を生じるのみでなく、ドライブ装置に対して記録媒体カートリッジ１を着脱する際に、角張った部分Ａがドライブ装置側のガイド部材に接触して塵埃が発生し、この塵埃が記録媒体カートリッジ１のハウジング内に侵入すると、記録媒体が汚染され、その記録再生特性を劣化させるという問題があった。
【００１４】
また、上下シェルハーフ３，４の周壁３ｓ，４ｓが、主板部３ｍ，４ｍからそれぞれ正確に９０°の角度で折り曲げられている場合であっても、図６（ｃ）に示すように、周壁３ｓ、４ｓの突合せ部における溶接箇所Ｗが周壁３ｓ、４ｓの外表面から盛り上がっている場合には、やはりハウジングの幅に誤差を生じたり、ドライブ装置に対して記録媒体カートリッジ１を着脱する際に、上記盛上り部分がドライブ装置側のガイド部材に接触して塵埃が発生したりする恐れ等があった。
【００１５】
上述の事情に鑑み、本発明の課題は、ハウジングの幅に誤差を生じたり、ドライブ装置に対する着脱時に塵埃を生じたりするのを防止することにある。
【課題を解決するための手段】
【００１６】
本発明は、上下シェルハーフの少なくとも一方が、主板部の周縁から折り曲げられた形態の周壁を備え、この、またはこれらの周壁の先端縁を突き合わせた状態で組み立てられてなる扁平なハウジングを有する記録媒体カートリッジにおいて、上下シェルハーフの周壁の上記主板部に対する折曲げ角度が１００°±５°の範囲内に設定されていることを特徴とするものである。
【００１７】
上記折曲げ角度は約１００°であることが好ましい。また、上記上下シェルハーフは、一般にそれらの周壁の複数箇所において突合わせ溶接されるが、接着される場合もある。
【発明の効果】
【００１８】
本発明によれば、シェルハーフの周壁の主板部に対する折曲げ角度を１００°±５°に設定した場合には、折曲げ角度に誤差を生じたり、溶接箇所に盛り上がりを生じたりする場合であっても、突合せ部分が基準面か突出する恐れはないから、ハウジングの幅に誤差を生じる問題はなく、また、突合せ部分がドライブ装置側のガイド部材に接触して塵埃を発生するという問題も解消する。
【００１９】
さらに、上下シェルハーフの突合せ部分の内側が内部のロータリーシャッタ等に接触する恐れもないものである。
【発明を実施するための最良の形態】
【００２０】
以下、本発明の実施の形態について、図面を参照して詳細に説明する。
【００２１】
図１（ａ），（ｂ）は、本発明による記録媒体カートリッジのハウジングにおける上下シェルハーフの周縁部の拡大断面図である。なおこの実施例においては、ハウジングを除く他の部分の構成が、図３〜図５に示す従来の記録媒体カートリッジと同様なため、ハウジング以外の図示ならびに詳細な説明は省略してある。
【００２２】
図１（ａ）に示す実施例においては、上下シェルハーフ３，４の周壁３ｓ，４ｓの主板部３ｍ，４ｍに対する折曲げ角度が９０°よりも深い約１００°に設定された状態で、周壁３ｓ，４ｓの突合せ部の複数箇所に対してレーザービームによるスポット溶接がなされている。
【００２３】
本実施例によれば、周壁３ｓ，４ｓの主板部３ｍ，４ｍに対する折曲げ角度に誤差を生じたり、溶接部Ｗに盛り上がりを生じたりする場合であっても、突合せ部分が基準面Ｐか突出する恐れはなく、ハウジングの幅を金型によって正確に規制することができるから、ウジングの幅に誤差を生じる問題はなく、また、突合せ部分がドライブ装置側のガイド部材に接触して塵埃を発生するという問題も解消する。
【００２４】
なお、上記折曲げ角度が９５°未満である場合には、周壁３ｓ，４ｓのスプリングバックによって、図６（ｂ）と同様の状態になる可能性があり、また折曲げ角度が１０５°を超える場合には、上下シェルハーフ３，４の突合せ部分の内側が内部のロータリーシャッタ等に接触する恐れがある。
【００２５】
その点で、図１（ｂ）に示すような構成が好ましい。この場合は、上下シェルハーフ３，４の周壁３ｓ，４ｓの主板部３ｍ，４ｍに対する折曲げ角度が、１０５°程度に設定されているが、周壁３ｓ，４ｓが途中から外側に１５°程度曲げられて、突合わせ部近傍における周壁３ｓ，４ｓの外表面が主板部３ｍ，４ｍに対しほぼ直角になっている。このようにすれば、突合せ部分が基準面Ｐか突出する恐れもなく、また、上下シェルハーフ３，４の突合せ部分の内側がロータリーシャッタ等に接触する恐れもなくなる。
【００２６】
上述の実施例は、外径１．８インチ（約４６ｍｍ）の磁気記録媒体５を備えた「ｃｌｉｋ！」の場合であるが、本発明はこれに限定されるものではなく、将来開発されるであろう更に小型で高密度な１インチ（約２５ｍｍ）や０．８インチ(約２０ｍｍ)等の超小型高密度記録媒体を備えたカートリッジにも適用可能であり、記録媒体はディスクに限らず、テープ、ハードディスク、光媒体、半導体等であってもよい。
【００２７】
また、上述の実施例では、ロータリーシャッタ７がハウジングに内蔵されたものであるが、本発明は、ロータリーシャッタあるいはスライドシャッタを外装した記録媒体カートリッジにも適用可能であることは言うまでもない。溶接手段はレーザーによるスポット溶接に限らず、抵抗溶接であってみよい。
【００２８】
さらに、ハウジングがプラスチックからなる場合にも適用可能である。
【００２９】
なお、図１（ａ），（ｂ）に示す実施例は、上下シェルハーフ３，４が共に主板部３ｍ，４ｍの周縁から折り曲げられた形態の周壁３ｓ，４ｓを備えている場合であるが、本発明はこれらに限定されるものではなく、例えば図１（ｃ），（ｄ）に示すように、一方のシェルハーフのみが、例えば上シェルハーフ３′のみが、その主板部３ｍ′から折り曲げられた形態の周壁３ｓ′を備え、下シェルハーフ４′は主板部４ｍ′のみで周壁を備えておらず、その主板部４ｍ′の上面の周縁部に上シェルハーフ３′の周壁３ｓ′の先端縁が突合せ溶接されて組み立てられるカートリッジにも適用可能である。
【００３０】
また、上述とは反対に、周壁３ｓ，４ｓの折曲げ角度を８０°程度に設定した場合には、約１６０°をなす突合せ部の頂点が、溶接によって溶けて、表面張力により丸くなるから、ドライブ装置側のガイド部材に対し引っかかりにくくなり、これによっても本発明の目的の一部は達成されるが、ハウジングの幅を金型によって正確に規制することができる点で、図１（ａ），（ｂ）に示す構成が好ましいことは明らかである。
【図面の簡単な説明】
【００３１】
【図１】図１（ａ）〜（ｄ）は、本発明による記録媒体カートリッジのハウジングにおける上下シェルハーフの周縁部の拡大断面図である。
【図２】従来の記録媒体カートリッジの斜視図である。
【図３】図４（ａ），（ｂ）は、図２の記録媒体カートリッジの、ロータリーシャッタが閉位置にある状態を示す平面図および底面図である。
【図４】図３（ａ）の４−４線に沿った要部の拡大断面図である。
【図５】図５（ａ），（ｂ）は、図３の記録媒体カートリッジの、ロータリーシャッタが開位置にある状態を示す平面図および底面図である。
【図６】図６（ａ）〜（ｃ）は従来の記録媒体カートリッジの上下シェルハーフの周壁における周縁部の拡大断面図である。
【符号の説明】
【００３２】
１    記録媒体カートリッジ
３    上シェルハーフ
３ｓ    上シェルハーフの周壁
４    下シェルハーフ
４ｓ    下シェルハーフの周壁
５    磁気記録媒体
６    ハウジングの開口
７    ロータリーシャッタ
７Ｕ    上シャッターハーフ
７Ｄ    下シャッターハーフ
Ｗ    スポット溶接部
Ｗ１〜Ｗ１３    溶接箇所
【図１】
2006164419.tif 000003
【図２】
2006164419.tif 000004
【図３】
2006164419.tif 000005
【図４】
2006164419.tif 000006
【図５】
2006164419.tif 000007
【図６】
2006164419.tif 000008